Podtech/llm-jp-corpus-v4-ja_patent huggingface dataset:
【手続補正書】
【提出日】令和3年7月9日(2021.7.9)
【手続補正１】
【補正対象書類名】特許請求の範囲
【補正対象項目名】全文
【補正方法】変更
【補正の内容】
【特許請求の範囲】
【請求項１】
デバイスによって実行されるワイヤレス通信の方法であって、前記方法は、
通信の変調およびコーディング方式(MCS)に少なくとも部分的に基づいて前記通信の公称コーディングレートを決定するステップであって、
前記通信が、送信に関する再送信であり、
前記送信が、前記再送信とは異なるコーディングレートまたは異なる公称リソースブロック値のうちの少なくとも1つに関連付けられ、
前記送信および前記再送信が、同じトランスポートブロックサイズに関連付けられる、ステップと、
前記通信の復号または送信のために第1のベースグラフを使用するかまたは第2のベースグラフを使用するかを決定するステップであって、前記第1のベースグラフを使用するかまたは前記第2のベースグラフを使用するかの前記決定が、前記通信の前記公称コーディングレートおよびトランスポートブロックサイズ(TBS)に少なくとも部分的に基づき、前記TBSが、前記通信のリソースの公称数および前記MCSに少なくとも部分的に基づき前記再送信が、前記送信と同じベースグラフを使用するように送信エンティティによって構成される、ステップと、
前記第1のベースグラフを使用するかまたは前記第2のベースグラフを使用するかの前記決定に少なくとも部分的に基づいて前記復号または送信を実行するステップとを備える、
方法。
【請求項２】
前記TBSが、前記デバイスの制御情報に少なくとも部分的に基づいて決定される、
請求項1に記載の方法。
【請求項３】
前記TBSが、前記通信における少なくとも1つのレートマッチングリソースに少なくとも部分的に基づいて決定される、
請求項1に記載の方法。
【請求項４】
前記TBSが、前記通信における利用可能なリソース要素の数に少なくとも部分的に基づいて決定される、
請求項1に記載の方法。
【請求項５】
前記公称コーディングレートが、前記MCSに対応するコーディングレートである、
請求項1に記載の方法。
【請求項６】
前記通信が、複数の異なるコードワードに関連付けられ、
前記第1のベースグラフを使用するかまたは前記第2のベースグラフを使用するかの前記決定が、前記複数の異なるコードワードのうちのコードワードごとに実行される、
請求項1に記載の方法。
【請求項７】
ワイヤレス通信のための1つまたは複数の命令を記憶する非一時的コンピュータ可読媒体であって、コンピュータによって実行されると、請求項１〜６のいずれか一項に記載の方法を前記コンピュータに実行させる、
非一時的コンピュータ可読媒体。
【請求項８】
ワイヤレス通信のための装置であって、前記装置は、
通信の変調およびコーディング方式(MCS)に少なくとも部分的に基づいて前記通信の公称コーディングレートを決定する手段であって、
前記通信が、送信に関する再送信であり、
前記送信が、前記再送信とは異なるコーディングレートまたは異なる公称リソースブロック値のうちの少なくとも1つに関連付けられ、
前記送信および前記再送信が、同じトランスポートブロックサイズに関連付けられる、手段と、
前記通信の復号または送信のために第1のベースグラフを使用するかまたは第2のベースグラフを使用するかを決定する手段であって、前記第1のベースグラフを使用するかまたは前記第2のベースグラフを使用するかの前記決定が、前記通信の前記公称コーディングレートおよびトランスポートブロックサイズ(TBS)に少なくとも部分的に基づき、前記TBSが、前記通信のリソースの公称数および前記MCSに少なくとも部分的に基づき、前記再送信が、前記送信と同じベースグラフを使用するように送信エンティティによって構成される、手段と、
前記第1のベースグラフを使用するかまたは前記第2のベースグラフを使用するかの前記決定に少なくとも部分的に基づいて前記復号または送信を実行するための手段とを備える、
装置。
【請求項９】
前記TBSが、デバイスの制御情報に少なくとも部分的に基づいて決定される、
請求項8に記載の装置。
【請求項１０】
前記TBSが、前記通信における少なくとも1つのレートマッチングリソースに少なくとも部分的に基づいて決定される、
請求項8に記載の装置。
【請求項１１】
前記TBSが、前記通信における利用可能なリソース要素の数に少なくとも部分的に基づいて決定される、
請求項8に記載の装置。
【請求項１２】
前記公称コーディングレートが、前記MCSに対応するコーディングレートである、
請求項8に記載の装置。
【請求項１３】
前記通信が、複数の異なるコードワードに関連付けられ、
前記第1のベースグラフを使用するかまたは前記第2のベースグラフを使用するかの前記決定が、前記複数の異なるコードワードのうちのコードワードごとに実行される、
請求項8に記載の装置。
【手続補正書】
【提出日】令和3年7月2日(2021.7.2)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ソースアクセスおよびモビリティ機能（AMF）からターゲットAMFへのハンドオーバーをトリガするハンドオーバートリガを特定するステップと、
前記ハンドオーバートリガを特定することに応答して、前記ソースAMFのAMFベースキーおよび第1のフレッシュネスパラメータに少なくとも一部基づいて、リフレッシュされた中間キーを生成するステップであって、前記第1のフレッシュネスパラメータは、ダウンリンク非アクセス層（NAS）カウントであり、前記リフレッシュされた中間キーはAMFベースキーである、生成するステップと、
前記リフレッシュされた中間キーを前記ターゲットAMFに送信するステップと、
前記リフレッシュされた中間キーおよび第2のフレッシュネスパラメータに少なくとも一部基づいて中間ターゲット基地局ベースキーを生成するステップと、
を備える、方法。
【請求項２】
ネットワークエンティティベースキーに少なくとも一部基づいて中間キーを生成するステップをさらに備え、前記中間キーが前記リフレッシュされた中間キーと異なる、請求項1に記載の方法。
【請求項３】
前記中間キーおよび第3のフレッシュネスパラメータに少なくとも一部基づいてソース基地局ベースキーを生成するステップをさらに備える、請求項2に記載の方法。
【請求項４】
前記ソース基地局ベースキーをソース基地局に送信するステップをさらに備える、請求項3に記載の方法。
【請求項５】
前記第3のフレッシュネスパラメータに少なくとも一部基づいて、リフレッシュされたソース基地局ベースキーを生成するステップをさらに備える、請求項3に記載の方法。
【請求項６】
前記第3のフレッシュネスパラメータが、前記ソース基地局ベースキーをリフレッシュするために予約されるカウンタを備える、請求項3に記載の方法。
【請求項７】
前記リフレッシュされた中間キーに少なくとも一部基づいて、非アクセス層(NAS)シグナリングのための暗号化キーおよびNASシグナリングのための完全性キーを生成するステップをさらに備える、請求項2に記載の方法。
【請求項８】
前記ターゲットAMFのための前記ネットワークエンティティベースキーが、ターゲット基地局ベースキーを生成するため専用となるように構成される、請求項1に記載の方法。
【請求項９】
前記リフレッシュされた中間キーが、ターゲット基地局ベースキーを生成するため専用となるように構成される、請求項1に記載の方法。
【請求項１０】
ワイヤレス通信のための装置であって、
ソースAMFからターゲットAMFへのハンドオーバーをトリガするハンドオーバートリガを特定するための手段と、
前記ハンドオーバートリガを特定することに応答して、リフレッシュされた中間キーを生成するための手段であって、前記リフレッシュされた中間キーは、前記ソースAMFのAMFベースキーおよび第1のフレッシュネスパラメータに少なくとも一部基づいて生成され、前記第1のフレッシュネスパラメータは、ダウンリンク非アクセス層（NAS）カウントであり、前記リフレッシュされた中間キーはAMFベースキーである、生成する手段と、
前記リフレッシュされた中間キーを前記ターゲットネットワークエンティティに送信するための手段と、
前記リフレッシュされた中間キーおよび第2のフレッシュネスパラメータに少なくとも一部基づいて中間ターゲット基地局ベースキーを生成する手段と、
を備える、装置。
【請求項１１】
ワイヤレス通信のためのコードを記憶する非一時的コンピュータ可読媒体であって、前記コードが、請求項1乃至9のいずれか一項に記載の方法を実行するようにプロセッサによって実行可能な命令を備える、コンピュータ可読記憶媒体。
【手続補正書】
【提出日】令和3年7月20日(2021.7.20)
【手続補正１】
【補正対象書類名】特許請求の範囲
【補正対象項目名】全文
【補正方法】変更
【補正の内容】
【特許請求の範囲】
【請求項１】
心臓マッピングおよびモデル合成の方法であって、
心臓の心室期外収縮（ＰＶＣ）活性化マップを、三次元（３Ｄ）心臓モデルと、前記心臓のＰＶＣ中に記録したＰＶＣ心電図（ＥＣＧ）データとに基づいて生成することと、
電気生理学的（ＥＰ）処置中に収集された逐点接触データを三角形分割することにより、前記心臓の３Ｄ内部表面モデルを生成することと、
前記ＰＶＣ活性化マップと前記３Ｄ内部表面モデルとを合成して、ＰＶＣ活性化表面モデルを形成することと、
前記心臓を、前記ＰＶＣ活性化表面モデル内で特定された最早活性化領域内に配置された第１のペーシング位置でペーシングすることと、を含む方法。
【請求項２】
前記ＰＶＣ活性化マップと前記３Ｄ内部表面モデルとを合成してＰＶＣ活性化表面モデルを形成することが、前記ＰＶＣ活性化マップを前記逐点接触データと合成することを含む、請求項１に記載の方法。
【請求項３】
前記第１のペーシング位置のペーシング中に記録されたＥＣＧデータを前記ＰＶＣ  ＥＣＧデータと比較することにより、前記第１のペーシング位置が前記ＰＶＣを防止するために焼灼され得る焼灼位置であるか否かを判定することと、
前記第１のペーシング位置が焼灼位置ではないと判定したことに応答して、第２のペーシング位置を特定することと、
前記ＰＶＣ活性化マップおよび前記３Ｄ内部表面モデルのうちの一方または両方において前記第２のペーシング位置に関するガイダンス情報を表示することと、
前記ガイダンス情報に基づいて前記第１のペーシング位置から前記第２のペーシング位置までＥＰカテーテルを移動させることと、
前記心臓を前記第２のペーシング位置でペーシングすることと、をさらに含む、請求項１に記載の方法。
【請求項４】
前記３Ｄ心臓モデルが、前記心臓の磁気共鳴（ＭＲＩ）画像またはコンピュータ断層撮影（ＣＴ）画像に基づいている、請求項１に記載の方法。
【請求項５】
前記３Ｄ内部表面モデルが、前記心臓の磁気共鳴（ＭＲＩ）画像またはコンピュータ断層撮影（ＣＴ）画像に基づいていない、請求項４に記載の方法。
【請求項６】
前記２Ｄ画像のうちの１つを修正することにより参照画像を生成して、前記最早活性化領域を特定することと、
前記ＰＶＣ活性化マップおよび前記参照画像の両方を表示することと、をさらに含む、請求項４に記載の方法。
【請求項７】
前記ＰＶＣ  ＥＣＧデータが、ＰＶＣを含む１心拍中に記録される、請求項１に記載の方法。
【請求項８】
前記逐点接触データが、前記心臓の正常拍動中、前記心臓をＥＰカテーテルと繰り返し接触させることによって収集される、請求項１に記載の方法。
【請求項９】
前記ＥＰカテーテルと前記心臓との接触が、前記心臓が実質的に同じ容積である間に起こる、請求項８に記載の方法。
【請求項１０】
心臓マッピングの方法であって、
心電図（ＥＣＧ）装置の１２個の電極を患者の胸部に取り付けることと、
前記ＥＣＧ装置を使用して心電図（ＥＣＧ）データを記録することと、
前記ＥＣＧデータ、３次元（３Ｄ）胸部モデル、および前記心臓の２次元（２Ｄ）画像に基づいて、前記患者の心臓の心室期外収縮（ＰＶＣ）活性化マップを生成することであって、前記ＰＶＣ活性化マップが、最早活性化領域を含む、ことと、
前記ＰＶＣ活性化マップにおける前記最早活性化領域と予測された最早活性化領域との比較に基づいて、前記３Ｄ胸部モデルに含まれる前記電極の各々の実際の位置と前記電極の各々の理想的な位置とのオフセットを決定することと、
前記決定されたオフセットに基づいて前記ＰＶＣ活性化マップを調整することと、を含む、方法。
【請求項１１】
前記３Ｄ胸部モデルが、
基準マーカーを前記患者の身体に適用することであって、前記基準マーカーが画像処理を使用して認識できるように構成されている、ことと、
前記基準マーカーおよび前記電極を撮像することを含む、前記患者の身体の外部画像データを生成することと、
前記外部画像データに含まれる前記基準マーカーから反射された光を検出することにより、前記基準マーカーに対応する解剖学的位置を特定することと、
特定された前記解剖学的位置を、ＣＴスキャンまたはＭＲＩスキャンから得られた画像における対応する解剖学的位置と位置合わせすることにより、前記外部画像データを、前記２Ｄ画像を使用して生成された前記患者の胸部の３Ｄ解剖学的モデルと合成することと、によって生成される、請求項１０に記載の方法。
【請求項１２】
前記外部画像データに含まれる前記基準マーカーから反射された光を検出することにより、前記基準マーカーに対応する解剖学的位置を特定することが、２つの異なる基準マーカーから反射された２つの異なる波長の光を検出することを含む、請求項１１記載の方法。
【請求項１３】
前記基準マーカーのうちの２つが、前記患者の肩上に配置され、かつ
前記基準マーカーのうちの１つが、前記患者の胸骨上に配置される、請求項１２に記載の方法。
【請求項１４】
前記外部画像データに含まれる前記基準マーカーから反射された光を検出することにより、前記基準マーカーに対応する解剖学的位置を特定することが、３つの異なる基準マーカーから反射された光の３つの異なる波長を検出することを含む、請求項１１記載の方法。
【請求項１５】
前記基準マーカーが、異なる形状を有し、かつ
前記外部画像データに含まれる前記基準マーカーから反射された光を検出することにより、前記基準マーカーに対応する解剖学的位置を特定することが、各基準マーカーの形状を検出することを含む、請求項１１に記載の方法。
【手続補正書】
【提出日】令和3年8月5日(2021.8.5)
【手続補正１】
【補正対象書類名】特許請求の範囲
【補正対象項目名】全文
【補正方法】変更
【補正の内容】
【特許請求の範囲】
【請求項１】
エアロゾル発生物品の少なくとも一部分を受容するためのチャンバーを画定するハウジングと、
前記チャンバーの少なくとも一部分の周りに配置されたインダクタコイルと、
前記チャンバー内の前記ハウジングへの取り外し可能な取り付けのために構成された細長いサセプタ素子であって、前記ハウジングに取り外し可能に取り付けられている時に、前記チャンバーの中に突出する、細長いサセプタ素子と、
前記ハウジングの側面上に位置付けられた開口部であって、前記開口部および前記細長いサセプタ素子が、前記開口部を通した前記チャンバーの中への前記細長いサセプタ素子の挿入のために構成されていて、かつ前記開口部を通した前記細長いサセプタ素子の前記チャンバーからの取り外しのために構成されている、開口部と、
使用時に前記インダクタコイルが交番磁界を発生して前記細長いサセプタ素子を加熱し、これによって前記チャンバーの中に受容されたエアロゾル発生物品の少なくとも一部分を加熱するように、前記インダクタコイルに接続され、かつ交流電流を前記インダクタコイルに提供するように構成された電源およびコントローラーと、を備えるエアロゾル発生装置。
【請求項２】
前記細長いサセプタ素子が、細長い基部部分および前記細長い基部部分の第一の端から延びる細長い加熱部分を備え、前記細長い基部部分が前記細長い加熱部分と直交する、請求項１に記載のエアロゾル発生装置。
【請求項３】
前記ハウジングが、前記チャンバーの閉鎖端を横切って前記開口部から少なくとも部分的に延びるチャネルを画定し、前記チャネルが前記細長いサセプタ素子の前記細長い基部部分を受容するように構成されている、請求項２に記載のエアロゾル発生装置。
【請求項４】
前記チャネルが、前記細長いサセプタ素子の前記細長い基部部分を締まり嵌めによって保持するように構成されている、請求項３に記載のエアロゾル発生装置。
【請求項５】
前記ハウジングが、前記チャネルの少なくとも一部分を横切って延びる少なくとも一つのフランジを画定し、前記少なくとも一つのフランジが、前記細長いサセプタ部分の前記細長い基部部分を前記チャネル内に保持するように構成されている、請求項３または４に記載のエアロゾル発生装置。
【請求項６】
前記少なくとも一つのフランジが、スロットを少なくとも部分的に画定し、かつ前記細長い基部部分が前記チャネル内に保持されている時に、前記細長いサセプタ素子の細長い加熱部分が前記スロットを通って延びるように、前記チャネル、前記スロット、および前記細長いサセプタ素子が構成されている、請求項５に記載のエアロゾル発生装置。
【請求項７】
前記細長いサセプタ素子が前記チャンバー内に受容されている時に、前記細長いサセプタ素子の一部分が前記開口部を通して突出するように構成されている、請求項１〜６のいずれか一項に記載のエアロゾル発生装置。
【請求項８】
エアロゾル発生物品の少なくとも一部分を受容するためのチャンバーを画定するハウジングと、
前記チャンバーの少なくとも一部分の周りに配置されたインダクタコイルと、
前記チャンバー内の前記ハウジングへの取り外し可能な取り付けのために構成された細長いサセプタ素子であって、前記ハウジングに取り外し可能に取り付けられている時に、前記チャンバーの中に突出し、かつ前記ハウジングへの取り外し可能な取り付けのために構成された基部部分と、前記基部部分から延びる細長い加熱部分とを備える、細長いサセプタ素子と、
使用時に前記インダクタコイルが交番磁界を発生して前記細長いサセプタ素子を加熱し、これによって前記チャンバーの中に受容されたエアロゾル発生物品の少なくとも一部分を加熱するように、前記インダクタコイルに接続され、かつ交流電流を前記インダクタコイルに提供するように構成された電源およびコントローラーと、を備えるエアロゾル発生装置。
【請求項９】
前記細長い加熱部分が前記基部部分の中心から延びる、請求項８に記載のエアロゾル発生装置。
【請求項１０】
前記細長いサセプタ素子の前記基部部分が、磁気的取り付けによる前記ハウジングへの取り外し可能な取り付けのために構成されている、請求項８または９に記載のエアロゾル発生装置。
【請求項１１】
前記基部部分が永久磁石を備え、かつ前記エアロゾル発生装置が前記チャンバーの上流端に強磁性材料を備え、または前記基部部分が強磁性材料を備え、かつ前記エアロゾル発生装置が前記チャンバーの上流端に永久磁石を備え、または前記基部部分が永久磁石を備え、かつ前記エアロゾル発生装置が前記チャンバーの上流端に永久磁石を備える、請求項１０に記載のエアロゾル発生装置。
【請求項１２】
前記磁気的取り付けを破断するために、前記細長いサセプタ素子と前記エアロゾル発生装置との間の相対的な動きを提供するように構成された解放機構をさらに備える、請求項１０または１１に記載のエアロゾル発生装置。
【請求項１３】
抜き出しツールと組み合わせたエアロゾル発生装置であって、前記抜き出しツールが前記チャンバーの中への挿入のためにサイズが決められていて、かつ前記抜き出しツールの端に永久磁石を備える、請求項１０または１１に記載のエアロゾル発生装置。
【請求項１４】
請求項１〜１３のいずれかに記載のエアロゾル発生装置と、エアロゾル形成基体を有する、かつエアロゾル発生装置で使用するために構成されたエアロゾル発生物品と、を備える、エアロゾル発生システム。
【誤訳訂正書】
【提出日】令和3年4月5日(2021.4.5)
【誤訳訂正１】
【訂正対象書類名】明細書
【訂正対象項目名】００２１
【訂正方法】変更
【訂正の内容】
【００２１】
この少なくとも一つのタバコ・加熱体連結部品は、有利には、丸められた形又はカールされた形で加熱ユニット内に配置することができる。そのようにして、ＨＮＢタバコ物品内に存在する構造空間の最適な活用形態を実現することができる。本発明の実施構成では、同じ目的で、特に、同心状に複数のタバコ・加熱体連結部品を加熱ユニット内に配置することができる。この場合、連結部品の電気接点は、有利には、加熱ユニット内の異なる、例えば、対向する周縁位置に配置することができる。それは、空気フロー内における作用物質成分の均一化に寄与することができる。
【誤訳訂正２】
【訂正対象書類名】明細書
【訂正対象項目名】００３６
【訂正方法】変更
【訂正の内容】
【００３６】
ＨＮＢタバコ物品１０の有利な構造が図５に図示されている。この実施構成では、円筒体に丸められた二つの連結部品２６Ａ，２６Ｂが使用されている。これらの連結部品２６Ａ，２６Ｂは、例えば、半径方向の四つのスペーサー２９を用いて、有利には、同心状に円筒形の絶縁部品３２内に保持されている。スペーサー２９の数は、４よりも多く、或いは４よりも少なくすることができる。スペーサー２９は、有利には、同じ角度間隔で、ここでは、９０°で互いに配置されている。絶縁部品３２は、ＨＮＢタバコ物品１０の筐体１１により形成することができる。それに代わって、特に、加熱ユニット１３が交換可能な使い捨て部分である場合、絶縁部品３２は、ＨＮＢタバコ物品１０の筐体１１と別個の部分であるとすることができる。
【誤訳訂正３】
【訂正対象書類名】特許請求の範囲
【訂正対象項目名】請求項１１
【訂正方法】変更
【訂正の内容】
【請求項１１】
前記の少なくとも一つのタバコ・加熱体連結部品（２６）が、丸められた形でか、カールされた形でか、或いはその両方の形で加熱ユニット（１３）内に配置されていることを特徴とする請求項１から１０までのいずれか一つに記載の加熱ユニット。
【誤訳訂正４】
【訂正対象書類名】特許請求の範囲
【訂正対象項目名】請求項１２
【訂正方法】変更
【訂正の内容】
【請求項１２】
複数のタバコ・加熱体連結部品（２６Ａ，２６Ｂ）が、特に同心状に、加熱ユニット（１３）内に配置されていることを特徴とする請求項１１に記載の加熱ユニット。
【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
吸入可能なエアロゾルを生成するための加熱式エアロゾル発生物品であって、前記加熱式エアロゾル発生物品がエアロゾル発生基体のロッドを備え、前記エアロゾル発生基体のロッドが、
少なくとも一つのエアロゾル形成体を含む、かつ少なくとも一つのエアロゾル形成体を放出するように適合された非たばこ材料の約２０〜約２００本のストランドであって、各ストランドが少なくとも約０．１ミリメートルかつ約０．５ミリメートル未満の等価直径を有し、前記ストランドが前記長軸方向に延びるように組み立てられているストランドと、
前記ストランドを囲むラッパーとを備える、加熱式エアロゾル発生物品。
【請求項２】
前記非たばこ材料が、その表面上に前記エアロゾル形成体を吸着するように、またはその構造内に前記エアロゾル形成体を吸着するように適合された、請求項１に記載の加熱式エアロゾル発生物品。
【請求項３】
非たばこ材料の各ストランドが前記エアロゾル発生基体のロッドの長さと実質的に等しい長さを有する、請求項１〜2のいずれか一項に記載の加熱式エアロゾル発生物品。
【請求項４】
非たばこ材料の前記複数のストランドが、前記エアロゾル発生基体内で互いに実質的に平行に整列している、請求項１〜３のいずれか一項に記載の加熱式エアロゾル発生物品。
【請求項５】
前記ストランドが、実質的に正方形の横断断面、実質的に長方形の横断断面、または実質的に楕円形の横断断面である、請求項１〜４のいずれか一項に記載の加熱式エアロゾル発生物品。
【請求項６】
前記ストランドが、前記エアロゾル形成体で被覆されたまたは前記エアロゾル形成体に浸された耐熱材料を含む、請求項１〜５のいずれか一項に記載の加熱式エアロゾル発生物品。
【請求項７】
エアロゾル発生物品内のエアロゾル発生基体として使用するためのロッドを作製する方法であって、前記方法が、
エアロゾル形成体を保持および放出するように適合された非たばこ材料の複数のストランドを提供する工程であって、各ストランドが少なくとも約０．１ミリメートルかつ約０．５ミリメートル未満の等価直径を有する工程と、
前記組み立てられたストランドが前記長軸方向に延びるように、約２０〜約２００本のストランドを組み立てる工程と、
前記組み立てられたストランドをラッパーで囲んで連続的なロッドを形成する工程と、
前記連続的なロッドを複数の個別のロッドに切断する工程と、を含む方法。
【請求項８】
前記複数のストランドを組み立てる工程の前に、少なくとも一つのエアロゾル形成体を前記複数のストランドに塗布する工程をさらに含む、請求項７に記載の方法。
【請求項９】
前記少なくとも一つのエアロゾル形成体を前記ストランドに塗布する工程の後で、前記複数のストランドを組み立てる工程の前に、前記複数のストランドを乾燥する工程をさらに含む、請求項８に記載の方法。
【請求項１０】
前記連続的なロッドを切断する工程の後に、前記複数のストランドに少なくとも一つのエアロゾル形成体を塗布する工程をさらに含む、請求項７に記載の方法。
【請求項１１】
エアロゾル発生物品内のエアロゾル発生基体として使用するためのロッドであって、前記ロッドが、
少なくとも一つのエアロゾル形成体を含む、かつ少なくとも一つのエアロゾル形成体を放出するように適合された非たばこ材料の約２０〜約２００本のストランドであって、各ストランドが少なくとも約０．１ミリメートルかつ約０．５ミリメートル未満の等価直径を有し、前記ストランドが前記長軸方向に延びるように組み立てられているストランドと、
前記ストランドを囲むラッパーとを備える、ロッド。
【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
改変ヒトＴ細胞受容体アルファ遺伝子をそのゲノム中に含む遺伝子改変ヒトＴ細胞であって、
該改変ヒトＴ細胞受容体アルファ遺伝子は、Ｔ細胞受容体アルファ定常領域（ＴＲＡＣ）エクソン１の５’上流に位置するＴ細胞受容体アルファ遺伝子内のイントロンに挿入された目的の外因性配列を含み、
前記目的の外因性配列は、外因性スプライスアクセプター部位又は外因性スプライスアクセプター部位及びポリＡシグナルを含み、
前記イントロンに隣接する内因性スプライスドナー部位及び内因性スプライスアクセプター部位は、改変されておらず、
内因性Ｔ細胞受容体の細胞表面発現は、非改変対照細胞と比較した場合に低下している、単離された遺伝子改変ヒトＴ細胞。
【請求項２】
前記イントロンが配列番号３を含む、請求項１に記載の単離された遺伝子改変ヒトＴ細胞。
【請求項３】
前記目的の外因性配列が、５’から３’に、外因性スプライスアクセプター部位、２Ａ要素又はＩＲＥＳ要素、目的のタンパク質のコード配列、及びポリＡシグナルを含む、請求項１又は２に記載の単離された遺伝子改変ヒトＴ細胞。
【請求項４】
前記２Ａ要素がＴ２Ａ要素である、請求項３に記載の単離された遺伝子改変ヒトＴ細胞。
【請求項５】
前記目的の配列が、キメラ抗原受容体又は外因性Ｔ細胞受容体のコード配列を含む、請求項１〜４のいずれか１項に記載の単離された遺伝子改変ヒトＴ細胞。
【請求項６】
前記目的の外因性配列が、操作されたメガヌクレアーゼ認識部位、ＴＡＬＥＮ認識部位、ジンクフィンガーヌクレアーゼ認識部位、ＣＲＩＳＰＲ認識部位、又はｍｅｇａＴＡＬ認識部位で前記イントロンに挿入される、請求項１〜５のいずれか１項に記載の単離された遺伝子改変ヒトＴ細胞。
【請求項７】
前記目的の外因性配列が、操作されたメガヌクレアーゼ認識部位で前記イントロンに挿入される、請求項１〜６のいずれか１項に記載の遺伝子改変ヒトＴ細胞。
【請求項８】
細胞表面で内因性Ｔ細胞受容体を発現しない、請求項１〜７のいずれか１項に記載の単離された遺伝子改変ヒトＴ細胞。
【請求項９】
請求項１〜８のいずれか１項に記載の複数の前記遺伝子改変ヒトＴ細胞を含む、単離された遺伝子改変ヒトＴ細胞の集団。
【請求項１０】
医薬組成物であって、それを必要とする被験体における疾患の治療に有用であり、前記医薬組成物が、薬学的に許容可能な担体と、請求項１〜８のいずれか１項に記載の単離された遺伝子改変ヒトＴ細胞を含む、医薬組成物。
【請求項１１】
前記疾患が癌である、請求項１０に記載の医薬組成物。
【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
抗原認識ドメインと、膜貫通（ＴＭ）ドメインと、Ｔ細胞活性化ドメインとを含むキメラ抗原受容体（ＣＡＲ）であって、Ｂ細胞成熟抗原（ＢＣＭＡ）に対する抗原特異性を有し、前記抗原認識ドメインが、
（ａ）配列番号１〜３、
（ｂ）配列番号４〜６、
（ｃ）配列番号７〜９、又は
（ｄ）配列番号１０〜１２
のアミノ酸配列を含むＣＡＲ。
【請求項２】
前記ＣＡＲの全てのドメインがヒトのである、請求項１に記載のＣＡＲ。
【請求項３】
前記抗原認識ドメインが、約８〜約４０アミノ酸残基の長さを有するリンカーペプチドを含まない、請求項１又は２に記載のＣＡＲ。
【請求項４】
前記ＣＡＲが抗体軽鎖可変領域を含まない、請求項１〜３のいずれか一項に記載のＣＡＲ。
【請求項５】
前記抗原認識ドメインが、
（ａ）配列番号１３、
（ｂ）配列番号１４、
（ｃ）配列番号１５、又は
（ｄ）配列番号１６
のアミノ酸配列を含む、請求項１〜４のいずれか一項に記載のＣＡＲ。
【請求項６】
前記Ｔ細胞活性化ドメインが、以下のタンパク質のうちのいずれか１つのＴ細胞シグナル伝達ドメインを含む、請求項１〜５のいずれか一項に記載のＣＡＲ：ヒトＣＤ２８タンパク質、ヒトＣＤ３−ゼータタンパク質、ヒトＦｃＲγタンパク質、ＣＤ２７タンパク質、ＯＸ４０タンパク質、ヒト４−１ＢＢタンパク質、ヒト誘導性Ｔ細胞共刺激タンパク質（ＩＣＯＳ）、前述のいずれかの改変バージョン、又は前述の任意の組み合わせ。
【請求項７】
配列番号１７〜２８のいずれか１つのアミノ酸配列を含む、請求項１〜６のいずれか一項に記載のＣＡＲ。
【請求項８】
請求項１〜７のいずれか一項に記載のＣＡＲをコードしているヌクレオチド配列を含む核酸。
【請求項９】
配列番号２９〜４０のいずれか１つのヌクレオチド配列を含む、請求項８に記載の核酸。
【請求項１０】
請求項８又は９に記載の核酸を含むベクター。
【請求項１１】
請求項１０に記載のベクターを含む単離された宿主細胞。
【請求項１２】
前記宿主細胞がＴ細胞である、請求項１１に記載の単離された宿主細胞。
【請求項１３】
前記宿主細胞がナチュラルキラー（ＮＫ）細胞である、請求項１１に記載の単離された宿主細胞。
【請求項１４】
請求項１１〜１３のいずれか一項に記載の少なくとも１つの宿主細胞を含む細胞の集団。
【請求項１５】
請求項１〜７のいずれか一項に記載のＣＡＲ、請求項８若しくは９に記載の核酸、請求項１０に記載のベクター、請求項１１〜１３のいずれか一項に記載の宿主細胞、又は請求項１４に記載の集団、及び医薬的に許容し得る担体を含む、医薬組成物。
【請求項１６】
哺乳類におけるがんを治療又は予防するための医薬組成物であって、請求項１〜７のいずれか一項に記載のＣＡＲ、請求項８若しくは９に記載の核酸、請求項１０に記載のベクター、請求項１１〜１３のいずれか一項に記載の宿主細胞、請求項１４に記載の集団、又は請求項１５に記載の医薬組成物を含む、医薬組成物。
【請求項１７】
前記がんが、多発性骨髄腫又はホジキンリンパ腫である、請求項１６に記載の医薬組成物。
【手続補正書】
【提出日】令和3年7月29日(2021.7.29)
【手続補正１】
【補正対象書類名】特許請求の範囲
【補正対象項目名】全文
【補正方法】変更
【補正の内容】
【特許請求の範囲】
【請求項１】
Ｗｎｔポリペプチドを調製する方法であって、前記方法は：
ａ）シャペロンに結合されるＷｎｔポリペプチドを含むＷｎｔポリペプチド−シャペロン複合体を生成するために、調整培地中の細胞においてＷｎｔポリペプチドとシャペロンを共発現する工程；
ｂ）精製されたＷｎｔポリペプチドを生成するために、スルホン化された多環芳香族化合物で固定されたカラムを用いて前記Ｗｎｔポリペプチド−シャペロン複合体からＷｎｔポリペプチドを溶出する工程；および
ｃ）リポソームＷｎｔポリペプチドを生成するために、精製されたＷｎｔポリペプチドを、リポソームの水溶液に接触させる工程、を含む、方法。
【請求項２】
シャペロンはＦｒｉｚｚｌｅｄタンパク質を含む、請求項１に記載の方法。
【請求項３】
シャペロンはＦｒｉｚｚｌｅｄ−８融合タンパク質を含む、請求項１に記載の方法。
【請求項４】
Ｆｒｉｚｚｌｅｄ−８融合タンパク質は、切断されたＦｒｉｚｚｌｅｄ−８タンパク質を含む、請求項３に記載の方法。
【請求項５】
Ｆｒｉｚｚｌｅｄ−８融合タンパク質はＩｇＧ  Ｆｃ部分をさらに含む、請求項３に記載の方法。
【請求項６】
ＷｎｔポリペプチドはＷｎｔ３Ａポリペプチドである、請求項１に記載の方法。
【請求項７】
Ｗｎｔ３Ａポリペプチドは、ＳＥＱ  ＩＤ  ＮＯ：１に対して少なくとも９０％の配列同一性を含む、請求項６に記載の方法。
【請求項８】
請求項１から７のいずれかに記載の方法により生成される医薬組成物であって、該医薬組成物はリポソームＷｎｔ３Ａポリペプチドを含み、医薬組成物に存在する活性なＷｎｔ３Ａポリペプチドの量は、骨移植片材料に投与されるときに約０．５ｎｇ／μＬ以下のＥＣ５０をもたらす、医薬組成物。
【請求項９】
Ｗｎｔ３Ａポリペプチドは、ＳＥＱ  ＩＤ  ＮＯ：１に対して少なくとも９０％の配列同一性を含む、請求項８に記載の医薬組成物。
【請求項１０】
Ｗｎｔ３Ａポリペプチドは、ＳＥＱ  ＩＤ  ＮＯ：１のアミノ酸配列からなる、請求項９に記載の医薬組成物。
【請求項１１】
Ｗｎｔ３Ａポリペプチドは、約１〜約３３のアミノ酸の切断、随意にＣ末端切断を含む、請求項８に記載の医薬組成物。
【請求項１２】
Ｗｎｔポリペプチドは、ＳＥＱ  ＩＤ  ＮＯ：１に記載のアミノ酸残基２０９に対応するアミノ酸位置において脂質修飾を含む、請求項８に記載の医薬組成物。
【請求項１３】
Ｗｎｔポリペプチドはパルミチン酸で修飾される、請求項１２に記載の医薬組成物。
【請求項１４】
Ｗｎｔ３Ａポリペプチドは、ＳＥＱ  ＩＤ  ＮＯ：２に対して少なくとも９０％の配列同一性を含む、請求項８に記載の医薬組成物。
【請求項１５】
Ｗｎｔ３Ａポリペプチドは、ＳＥＱ  ＩＤ  ＮＯ：１のアミノ酸配列からなる、請求項１４に記載の医薬組成物。
【誤訳訂正書】
【提出日】令和3年4月30日(2021.4.30)
【誤訳訂正１】
【訂正対象書類名】特許請求の範囲
【訂正対象項目名】全文
【訂正方法】変更
【訂正の内容】
【特許請求の範囲】
【請求項１】
医療装置であって、
近位部と、遠位部と、前記近位部と前記遠位部との間の長手部とを備え、前記長手部に沿ってルーメンを画成する細長管状本体を備え、
前記細長管状本体は、非拡張形態と拡張形態とを有し、前記拡張形態において、前記近位部は近位保持部材に拡張し、前記遠位部は遠位保持部材に拡張し、前記近位保持部材と前記遠位保持部材との間にわたって円筒状サドル領域が延びており、
前記細長管状本体は、第１の直径形態と、前記第１の直径形態よりも大きい第２の直径形態との間で移行するように構成された内部コーンを含み、
前記内部コーンは、複数の重なった可撓性フィラメントループからなる、医療装置。
【請求項２】
前記内部コーンは、前記内部コーンに付与された閾値の力に応答して、前記第１の直径形態から前記第２の直径形態に移行するように構成される、請求項１に記載の医療装置。
【請求項３】
前記内部コーンは、前記円筒状サドル領域の略中間点に配置される、請求項１又は２に記載の医療装置。
【請求項４】
前記内部コーンは、前記遠位保持部材に向かって直径が先細りする部分を含む、請求項１〜３のいずれか一項に記載の医療装置。
【請求項５】
前記遠位保持部材、前記近位保持部材、前記円筒状サドル領域、及び前記内部コーンは、被覆されている、請求項１〜４のいずれか一項に記載の医療装置。
【請求項６】
前記細長管状本体は、１つ以上のフィラメント編組体で形成されている、請求項１〜５のいずれか一項に記載の医療装置。
【請求項７】
前記内部コーンは、前記円筒状サドル領域の内壁に装着されている、請求項１〜６のいずれか一項に記載の医療装置。
【請求項８】
前記内部コーンは、前記細長管状本体の前記１つ以上のフィラメント編組体に一体形成されている、請求項６に記載の医療装置。
【請求項９】
前記近位保持部材の表面は、第１の生体管腔の組織壁の内面に接触するように構成されており、前記遠位保持部材の表面は、第２の生体管腔の組織壁の内面に接触するように構成される、請求項１〜８のいずれか一項に記載の医療装置。
【請求項１０】
前記近位保持部材と前記遠位保持部材とは、前記第１の生体管腔の組織壁と前記第２の生体管腔の組織壁とを、前記近位保持部材と前記遠位保持部材との間に前記円筒状サドル領域に沿って並置するように構成される、請求項９に記載の医療装置。
【請求項１１】
前記医療装置は、第１のステントを構成しており、前記近位保持部材の表面と前記遠位保持部材の表面とは、第２のステントの開口内部通路の内面に接触するように構成される、請求項１〜８のいずれか一項に記載の医療装置。
【請求項１２】
前記近位保持部材は、単壁のフランジ構造を含むとともに、前記遠位保持部材は、単壁のフランジ構造を含む、請求項１〜１１のいずれか一項に記載の医療装置。
【請求項１３】
両単壁のフランジ構造は、前記円筒状サドル領域から径方向に延出している、請求項１２に記載の医療装置。
【請求項１４】
前記近位保持部材の直径と前記遠位保持部材の直径とは、前記円筒状サドル領域の直径よりも大きい、請求項１〜１３のいずれか一項に記載の医療装置。
【請求項１５】
前記複数の重なった可撓性フィラメントループの各々は、その内面及び外面の少なくともいずれか一方を被覆若しくはコーティングする膜を含む、請求項１〜１４のいずれか一項に記載の医療装置。
【誤訳訂正２】
【訂正対象書類名】明細書
【訂正対象項目名】００１８
【訂正方法】変更
【訂正の内容】
【００１８】
図５Ａ〜図５Ｄを参照して、一実施形態において、プラグ３３１は、第１のワッシャ３３５と第２のワッシャ３３６との間で、シース３３２内に第１の膜３３３及び第２の膜３３４を配置することにより、組み立てられ得る。第１のワッシャ３３５及び第２のワッシャ３３６のそれぞれは、当該第１，第２のワッシャ３３５，３３６に流体を通過させるための開口内部通路を画成し得る。図５Ｂに示すように、第１の膜３３３と第２の膜３３４、及び、第１のワッシャ３３５と第２のワッシャ３３６は、それぞれ、シース３３２内で所定の距離又は間隔で隔てられ得る。図５Ｃを参照して、一実施形態において、シース３３２は、高温（例えば、１００℃〜１５０℃）にさらされると、その内部の第１の膜３３３及び第２の膜３３４並びに第１のワッシャ３３５及び第２のワッシャ３３６の位置／向きをロック若しくは固定するために、しぼみ、収縮するように構成されたポリマ材料又はプラスチック材料（例えば、熱収縮材料）を含み得る。一実施形態において、組み立て済みの熱収縮したプラグ３３１は、円筒状サドル領域３３０の内壁の一部と、摩擦嵌合、圧縮嵌合、又は締まり嵌合を形成し得るように、円筒状サドル領域３３０の内径ｄ２（図４Ａ）と略等しい外径ｄ１（図５Ｃ）又はそれよりもわずかに大きい外径を有し得る。追加的又は代替的に、シース３３２の外面を円筒状サドル領域３３０の内壁に堅固に係合させるために、シース３３２は、水性流体（例えば、体液）に接触すると膨張若しくは膨潤するヒドロゲル材料で、コーティング又は含浸され得る。
【誤訳訂正３】
【訂正対象書類名】明細書
【訂正対象項目名】００２２
【訂正方法】変更
【訂正の内容】
【００２２】
一実施形態において、本発明の医療装置は、展開前若しくは展開後の他の医療装置（例えば、従来のドレナージステント）の開口内部通路内に、これを通過する周期的なフロー及び／又はアクセスを提供するために配置されるように構成され得る。例えば、図７を参照して、一実施形態において、本発明の医療装置５００は、ある例外を除いて医療装置４００と同一又は同等の構成及び要素を含み得る。該例外は、後述するように、近位保持部材５１４及び遠位保持部材５２４がそれぞれ平坦面５１６、５２６を備えた細長い形態（例えば、「ランドフレア」形態）を含み、該平坦面５１６、５２６は、本医療装置５００がその内部で展開された別体の医療装置の内面に係合するように構成されることである。
【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
ａ）試料をフィルターで濾過して、前記試料中に存在する任意の微生物を捕捉すること；
ｂ）前記フィルターを処理して、前記捕捉された微生物からゲノム材料又はＤＮＡを放出させること；
ｃ）前記捕捉された微生物から放出された前記ゲノム材料又はＤＮＡを増幅すること；及び
ｄ）前記ゲノム材料又はＤＮＡの特異的領域を同定して、任意の捕捉された微生物の存在を決定すること、前記微生物の種を同定すること、又は前記微生物の数を定量すること、
を含み、
ステップｃ）が、前記フィルター上、又は前記フィルター中で実施される、
試料中の微生物を検出するための方法。
【請求項２】
前記微生物が、細菌、真菌、古細菌、原生動物、藻類、微小動物、又はウイルスである、請求項１に記載の方法。
【請求項３】
前記微生物が、グラム陽性菌、グラム陰性菌、酵母、カビ、単細胞藻類若しくは珪藻、又はＤＮＡ若しくはＲＮＡウイルスのうちの１種又は複数から選択される、請求項１又は２に記載の方法。
【請求項４】
ステップａ）が、０．０１μｍ〜５μｍの孔径を有するフィルターで前記試料を濾過することを含む、請求項１〜３のいずれかに記載の方法。
【請求項５】
前記フィルターが、０．２μｍの孔径を有する、請求項４に記載の方法。
【請求項６】
ステップｂ）が、前記フィルターを、音響エネルギー、物理的エネルギー、又は酵素溶液及び／若しくは溶解緩衝液である生物学的及び／若しくは化学的溶解液と接触させることを含む、請求項１〜５のいずれかに記載の方法。
【請求項７】
ステップｂ）が、１種又は複数の前記微生物の細胞壁を破壊すること、及び前記捕捉された微生物を溶解してそれらのゲノム材料又はＤＮＡを前記フィルター上、又は前記フィルター中に放出させること、という連続ステップを含む、請求項１〜６のいずれかに記載の方法。
【請求項８】
ステップｃ）が、前記フィルター上、又は前記フィルター中で実施されるＰＣＲに基づく増幅法を含む、請求項１〜７のいずれかに記載の方法。
【請求項９】
ステップｃ）が、前記フィルター上、又は前記フィルター中で実施される多置換増幅を含む、請求項８に記載の方法。
【請求項１０】
ステップｃ）とステップｄ）の間にステップｃｉ）をさらに含み、ステップｃｉ）が、ゲノム材料又はＤＮＡを前記フィルターから抽出することを含む、請求項１〜９のいずれかに記載の方法。
【請求項１１】
ステップｃｉ）が、正の力（positive force）、負の力（negative force）、又は遠心力を利用してゲノム材料又はＤＮＡを前記フィルターから抽出することを含む、請求項１０に記載の方法。
【請求項１２】
ステップｄ）が、ポリメラーゼ連鎖反応（ＰＣＲ）を利用して前記ゲノム材料又はＤＮＡの特異的領域を同定することを含む、請求項１〜１１のいずれかに記載の方法。
【請求項１３】
ステップｄ）が、定量ポリメラーゼ連鎖反応（ｑＰＣＲ）を含む、請求項１２に記載の方法。
【請求項１４】
前記試料が、製造ラインの排水、血液試料、尿試料、スワブ試料、咳若しくは空気試料、食物、非経口栄養のための溶液、飲料、医薬組成物、又は水である、請求項１〜１３のいずれかに記載の方法。
【請求項１５】
請求項１〜１４のいずれかに記載の方法により、患者、動物又は製造工程から得られた試料をテストすることを含む、疾患を診断するために前記微生物から得られたゲノム材料又はＤＮＡのデータを取得する方法又は汚染物質を同定する方法。
【手続補正書】
【提出日】令和3年6月9日(2021.6.9)
【手続補正１】
【補正対象書類名】特許請求の範囲
【補正対象項目名】全文
【補正方法】変更
【補正の内容】
【特許請求の範囲】
【請求項１】
患者に埋め込まれるように構成されたセンサであって、前記センサが、
少なくとも１つの感知素子と、
前記少なくとも１つの感知素子と通信している測定装置であって、前記測定装置が、少なくとも１つのコンデンサを含み、かつ、前記少なくとも１つの感知素子を介した前記少なくとも１つのコンデンサの放電時間を測定して、前記センサによって観察される前記患者の解剖学的特性の値に比例する測定値を生成するように構成されている、測定装置と、
前記測定装置と通信している内部無線通信装置であって、前記内部無線通信装置が、前記患者の皮膚を通じて前記患者の身体の外側に位置する外部無線通信装置に前記測定値を無線通信するように構成されている、内部無線通信装置と、を備える、センサ。
【請求項２】
前記少なくとも１つの感知素子が抵抗器を含み、前記測定装置が、前記抵抗器を介した前記少なくとも１つのコンデンサの前記放電時間を測定して前記測定値を生成するように構成されている、請求項１に記載のセンサ。
【請求項３】
前記測定装置が、前記少なくとも１つの感知素子を介した前記少なくとも１つのコンデンサの前記放電時間を測定するように構成された時間デジタル変換器を備える、請求項１に記載のセンサ。
【請求項４】
前記測定装置がクロックを含み、前記時間デジタル変換器が、前記クロックのクロック信号に応じてインクリメントするように構成されている、請求項３に記載のセンサ。
【請求項５】
前記センサが、前記少なくとも１つの感知素子を含むひずみゲージを含む、請求項１に記載のセンサ。
【請求項６】
前記ひずみゲージが、前記少なくとも１つの感知素子を担持する基板を含み、前記少なくとも１つの感知素子が、少なくとも第１及び第２の感知素子を含み、前記第１の感知素子と前記第２の感知素子とが互いに対して非平行である、請求項５に記載のセンサ。
【請求項７】
前記内部無線通信装置が、無線周波数識別（ＲＦＩＤ）トランスポンダーを含む、請求項１に記載のセンサ。
【請求項８】
前記測定装置に電力を供給するように構成された電源デバイスを備え、前記電源デバイスが、前記センサに伝達される電波からエネルギーを捕捉するように構成されたエネルギーハーベスティングデバイスを含む、請求項１に記載のセンサ。
【請求項９】
第１の感知素子と第２の感知素子と第３の感知素子とが互いに対して非平行であるように基板上に配置されている、請求項１に記載のセンサ。
【請求項１０】
第１の方向に巻回された少なくとも１つの誘導アンテナコイルを有するアンテナであって、前記誘導アンテナコイルは、前記測定値を前記患者の外側の読取装置に無線で送信するように構成されている、アンテナと、
前記アンテナの下に配置されたシールドであって、前記シールドは、前記誘導アンテナコイルと直列に接続されかつ前記第１の方向と反対の第２の方向に巻回された少なくとも１つの誘導シールドコイルを有する、シールドと、をさらに備える、請求項１に記載のセンサ。
【請求項１１】
前記誘導シールドコイルが、前記誘導アンテナコイルの巻き数よりも少ない巻き数を有する、請求項１０に記載のセンサ。
【請求項１２】
前記シールドが、前記アンテナと前記少なくとも１つの感知素子との間に配置されている、請求項１０に記載のセンサ。
【手続補正書】
【提出日】令和3年8月5日(2021.8.5)
【手続補正１】
【補正対象書類名】特許請求の範囲
【補正対象項目名】全文
【補正方法】変更
【補正の内容】
【特許請求の範囲】
【請求項１】
超音波トランスデューサが取り付けられるのに適したウェアラブルパッチであって、前記ウェアラブルパッチは、
前記超音波トランスデューサが前記ウェアラブルパッチに取り付けられるときに前記超音波トランスデューサを囲み、前記ウェアラブルパッチが患者の身体の一部に固定されるときに前記患者の身体の一部と接触するように配置されるシールリングと、
前記ウェアラブルパッチが前記患者の身体の一部に固定されるときに前記超音波トランスデューサに対する結合剤を収容する流体リザーバと、
を含み、
前記流体リザーバは、前記ウェアラブルパッチの一部、前記シールリング、及び前記患者の身体の一部によって区切られ、
前記シールリングは、前記シールリングを少なくとも部分的に通って前記流体リザーバから延在する複数の流体導管を含み、前記シールリングは可撓性であり、前記ウェアラブルパッチが前記患者の身体の一部に固定されるときに、前記ウェアラブルパッチに圧力を加え、これにより前記シールリングを圧縮することによって、前記流体リザーバの有効ボリュームは減少できる、ウェアラブルパッチ。
【請求項２】
前記超音波トランスデューサを更に含む、請求項１に記載のウェアラブルパッチ。
【請求項３】
前記シールリングは多孔質材料で作られ、前記多孔質材料の細孔が、前記複数の流体導管を画定する、請求項１又は２に記載のウェアラブルパッチ。
【請求項４】
前記シールリングは多孔質発泡体で作られている、請求項３に記載のウェアラブルパッチ。
【請求項５】
前記多孔質発泡体は、ポリウレタン、ポリスチレン、ポリエチレン、シリコーン及びポリ塩化ビニルから選択される、請求項４に記載のウェアラブルパッチ。
【請求項６】
前記細孔は閉じた細孔であり、前記シールリングは、前記シールリングを通って前記流体リザーバから延在する少なくとも１つの通気路を更に含む、請求項３から５のいずれか一項に記載のウェアラブルパッチ。
【請求項７】
前記シールリングは非多孔質材料で作られている、請求項１又は２に記載のウェアラブルパッチ。
【請求項８】
前記超音波トランスデューサ及び前記シールリングを担持する中央領域と、前記中央領域を取り囲む外側領域とを有し、少なくとも前記外側領域は接着剤を担持する、請求項１から７のいずれか一項に記載のウェアラブルパッチ。
【請求項９】
前記ウェアラブルパッチの着用者の皮膚に接触する前記シールリングの表面部分が接着剤を担持する、請求項１から８のいずれか一項に記載のウェアラブルパッチ。
【請求項１０】
前記接着剤は感圧接着剤である、請求項８又は９に記載のウェアラブルパッチ。
【請求項１１】
前記ウェアラブルパッチを患者の身体の一部に固定するストラップを更に含む、請求項１から１０のいずれか一項に記載のウェアラブルパッチ。
【請求項１２】
請求項１から１１のいずれか一項に記載のウェアラブルパッチと、
ケーブル及びワイヤのいずれかを介して又は無線で前記超音波トランスデューサに結合可能な制御モジュールと、
を含み、
前記制御モジュールは、前記超音波トランスデューサの動作を制御する、及び／又は、前記超音波トランスデューサで捕捉された超音波画像を処理する回路を含む、ウェアラブルパッチアセンブリ。
【請求項１３】
請求項１から１０のいずれか一項に記載のウェアラブルパッチと、
前記超音波トランスデューサに対する前記結合剤を収容する容器と、
を含む、ウェアラブルパッチキット。
【請求項１４】
請求項１から１１のいずれか一項に記載のウェアラブルパッチを患者の皮膚領域に貼付する方法であって、
充填された前記ウェアラブルパッチを前記皮膚領域に配置するステップと、
前記ウェアラブルパッチの前記流体リザーバを結合剤で充填するステップと、
前記シールリングが患者の身体の一部に接触して、これにより前記流体リザーバの有効ボリュームを減少させ、前記流体リザーバ内の気泡及び余剰な結合剤が前記複数の流体導管に押し込まれることを引き起こすように、前記ウェアラブルパッチに圧力をかけるステップと、
を含む、方法。
【請求項１５】
前記超音波トランスデューサを前記ウェアラブルパッチに取り付けるステップと、
前記皮膚領域に配置された前記超音波トランスデューサを用いて少なくとも１つの画像を捕捉するステップと、
捕捉された前記少なくとも１つの画像に基づいて前記配置するステップを調整するステップと、
を更に含む、請求項１４に記載の方法。